(57)【要約】【課題】  追加あるいは書き換え可能な２層光ディスクのＤＶＤ再生互換を図る。【解決手段】  ＤＶＤ追記型あるいは書き換え型の２層光ディスクのデータ領域の開始位置をＤＶＤ規格値より外周方向へ移動することにより、リードイン領域を少なくとも内外周方向で０．４ｍｍ確保して、ＤＶＤ再生互換を図る。また、トラックピッチを規格内で僅かに狭くすることで、記録容量は１２ｃｍ２層ディスクで８．５４ＧＢ、８ｃｍ２層ディスクで２．６６ＧＢを維持してＤＶＤ２層互換を図る。【選択図】  図１
2006120187.tif 000002
【特許請求の範囲】
【請求項１】
ランドプリピット及びウォブルグルーブで構成される、追記あるいは、書き換え可能型２層構造の光ディスク媒体において、データ領域の記録が開始されるアドレス３００００Ｈの位置は、直径４８．２ｍｍから４８．４ｍｍの範囲内であり、リードイン領域は内外周方向で０．３ｍｍから０．５ｍｍの範囲内であることを特徴とする光ディスク媒体。
【請求項２】
光ディスク媒体全面の平均トラックピッチが０．７４０μｍ未満かつ、０．７４μｍの９９％以上として、公差を含めて０．７３μｍから０．７５μｍの範囲内であることを特徴とする請求項１に記載の光ディスク媒体。
【発明の詳細な説明】
【技術分野】
【０００１】
本発明は、２層の光ディスク媒体、例えば２層のＤＶＤ記録型光ディスクに関する。
【背景技術】
【０００２】
近年、書き換え型光ディスクの一つに、マルチメディア用の記録媒体として、ＤＶＤ−Ｒ及びＤＶＤ−ＲＷが普及している。
このような光ディスクのフォーマット構造は、図２に示すように、光ディスク上にトラックが形成され、情報を記録するグルーブトラックは一定周期でウォブリングしている。そのウォブリングに同期してグルーブトラック２の外周側のランドにランドプリピット３でアドレス情報が形成されている。情報信号はウォブル及びランドプリピットに同期してグルーブトラック上に記録される。ＤＶＤの規定ではデータ領域の開始位置は図４に示すように、ＬＰＰアドレスが３００００Ｈの位置は半径２３．９６から２４．００ｍｍの範囲内でなければならない。
【０００３】
図３に、信号の記録再生を行う光ディスク装置の構成を示す。参照番号１は光ディスク、４は光ディスク１のトラック上で信号の記録再生を行う光ヘッド、５は光ディスクのトラック上に半導体レーザの光ビームを集光するサーボ回路、６は半導体レーザの光出力を制御するレーザ駆動回路、７は符号化データを記録に適した形に変調するライトストラテジ生成回路である。８は記録データを誤り訂正符号化する符号化回路、９は記録のタイミングを制御する記録タイミング制御回路、１０は再生した信号からアドレス信号を検出するアドレス検出回路、１１はマイクロプロセッサー等で構成される光ディスク装置全体の動作を制御するシステム制御回路、１２は記録データである。
【０００４】
符号化回路８で符号化された記録データは、ライトストラテジ生成回路７で変調され、レーザ駆動回路６に送られて光ディスク１に記録される。
【特許文献１】特開２００４−２２０６６４公報
【特許文献２】特許第３００８８１９号公報
【発明の開示】
【発明が解決しようとする課題】
【０００５】
２層の光ディスクにおいては、層間ジャンプしてシークする際に安定して動作を保証するためには、少なくとも０．４ｍｍ以上の範囲で記録済みであることが必要である。しかし、図５に示すように、ＮＢＣＡ(New)が記録される場合は、ＤＶＤディスクの規定により、リードイン領域の開始位置とＮＢＣＡ Burst Cutting Area）の終了位置の隙間は、所定の距離が必要であり、イニシャルゾーンとリードインの領域の合計は、０．３ｍｍ弱しか確保できず、２層ディスクの場合は、ＤＶＤ再生互換が図れない。ＮＢＣＡは著作権保護のために記録型ＤＶＤディスクに採用されたディスク１枚毎に信号が記録される領域である。
【０００６】
本発明は上記問題点に鑑み、データ領域開始位置とトラックピッチを変更することにより、ＤＶＤ互換性のある２層構造の光ディスク媒体を提供する。
【課題を解決するための手段】
【０００７】
そこで、上記課題を解決するために本発明は、下記の光ディスク媒体を提供するものである。
（１）
ランドプリピット及びウォブルグルーブで構成される、追記あるいは、書き換え可能型２層構造の光ディスク媒体において、データ領域の記録が開始されるアドレス３００００Ｈの位置は、直径４８．２ｍｍから４８．４ｍｍの範囲内であり、リードイン領域は内外周方向で０．３ｍｍから０．５ｍｍの範囲内であることを特徴とする光ディスク媒体。
（２）
光ディスク媒体全面の平均トラックピッチが０．７４０μｍ未満かつ、０．７４μｍの９９％以上として、公差を含めて０．７３μｍから０．７５μｍの範囲内であることを特徴とする請求項１に記載の光ディスク媒体。
【発明の効果】
【０００８】
本発明により、DVD再生専用２層ディスクと互換性のある記録型の２層構造の光ディスク媒体が実現できるので、信号の記録されたこの記録型の２層構造の光ディスク媒体は、従来の市販プレーヤーでも安定して再生することが可能となる。
【発明を実施するための最良の形態】
【０００９】
以下、添付図面を参照して本発明の一実施例を説明する。
【実施例１】
【００１０】
本発明の光ディスク媒体の一実施例（記録型の２層構造の光ディスク）に記録を行う光ディスク装置についてまず説明する。この光ディスク装置のブロック構成自体は図３に示す従来の光ディスク装置とほぼ同様である。
【００１１】
光ディスク装置がホストシステムからの命令によってアドレス検出回路１０で光ディスクのアドレス情報を読み取る。例えばデータ領域の先頭は、システム制御回路１１が、記録開始すべきブロックのアドレス３００００Hかどうかを確認する。記録データは符号化回路８で符号化され、そして変調データを出力するライトストラテジ生成回路７で変調される。
【００１２】
次に、記録すべきブロックアドレスに対応して、記録データが記録制御回路９により制御され、適切な順序で記録される。
これらの工程により、図１に示す記録フォーマットにデータを光ディスクに記録再生することが出来る。データ領域の開始アドレスを直径４８．２ｍｍ〜４８．４ｍｍの範囲内に変更する。
【００１３】
また、平均トラックピッチを０．７３５μｍにすることにより、DVD再生専用２層ディスクの１２ｃｍディスクの容量８．５４GB、及び８ｃｍディスクの２．６６GBは確保できる。
【図面の簡単な説明】
【００１４】
【図１】本発明の一実施例の記録型２層構造光ディスクのレイアウト図である。
【図２】従来のＤＶＤ記録型光ディスクのフォーマット構造を示す図である。
【図３】従来のＤＶＤ記録型光ディスク装置のブロック図である。
【図４】従来のＤＶＤ記録型光ディスクのレイアウト図である。
【図５】解決課題を説明するための２層構造光ディスクのレイアウト図である。
【符号の説明】
【００１５】
１  光ディスク
２  グルーブトラック
３  ランドプリピット
４  光ヘッド
５  サーボ御回路
６  レーザ駆動回路
７  ライトストラテジ生成回路
８  符号化回路
９  記録制御回路
１０  アドレス検出回路
１１  システム制御回路
１２  記録データ
【図１】
2006120187.tif 000003
【図２】
2006120187.tif 000004
【図３】
2006120187.tif 000005
【図４】
2006120187.tif 000006
【図５】
2006120187.tif 000007